(57)【特許請求の範囲】
【請求項１】
ドータボードを、前面側に冷却吸気口が設けられ、背面側に排気口が設けられた筐体の前面側から水平方向に挿入する形態のボード実装筐体であって、
前記ドータボードに接合方向が実装面に沿った方向である第１の水平実装タイプコネクタを設け、前記筐体の底部に水平に実装されるマザーボードには接合方向が実装面に沿った方向である第２の水平実装タイプコネクタを設け、前記第１の水平実装タイプコネクタと前記第２の水平実装タイプコネクタは、その接続方向が互いに係合するように前記ドータボードの挿入方向と同じ方向に構成されてなり、
前記ドータボードを前記筐体の前面側から水平に挿入すると同時に前記第１の水平実装タイプコネクタが前記第２の水平実装タイプコネクタに嵌め込まれて前記マザーボードに対し前記ドータボードが接続されるとともに、前記冷却吸気口からの冷却風は前記ドータボードに沿って通過し、前記排気口から排出されることを特徴とするボード実装筐体。
【請求項２】
前記ドータボードは、複数有り、前記マザーボードの第２の水平実装タイプコネクタは、前記ドータボードに対応させて設けられていることを特徴とする請求項１に記載のボード実装筐体。
【請求項３】
前記第２の水平実装タイプコネクタは、前記マザーボードの後端側に前記ドータボードの実装位置に合わせて装着され、前記第１の水平実装タイプコネクタは、前記ドータボードの後端下部側に装着されていることを特徴とする請求項１又は２に記載のボード実装筐体。
【請求項４】
前記第２の水平実装タイプコネクタは、前記マザーボードの中程に前記ドータボードの実装位置に合わせて装着され、前記第１の水平実装タイプコネクタは、前記ドータボードの中程下部側に装着されていることを特徴とする請求項１又は２に記載のボード実装筐体。
【請求項５】
前記第２の水平実装タイプコネクタは、前記マザーボードの前端側に前記ドータボードの実装位置に合わせて装着され、前記第１の水平実装タイプコネクタは、前記ドータボードの前端下部側に装着されていることを特徴とする請求項１又は２に記載のボード実装筐体。
【請求項６】
前面側に冷却吸気口が設けられ、背面側に排気口が設けられた筐体の前面側からドータボードを水平に挿入するボード実装方法であって、
前記ドータボードに接合方向が実装面に沿った方向である第１の水平実装タイプコネクタを、その接続方向が前記ドータボードの挿入方向と同じ方向に設ける第１の工程と、
前記筐体の底部に水平に実装されるマザーボードに、その接続方向が前記第１の水平実装タイプコネクタと係合するように前記ドータボードの挿入方向と同じ方向に接合方向が実装面に沿った方向である第２の水平実装タイプコネクタを設ける第２の工程と、
前記ドータボードを前記筐体の前面側から水平に挿入すると同時に前記第１の水平実装タイプコネクタを前記第２の水平実装タイプコネクタに嵌め込まれることで、前記マザーボードに対し前記ドータボードを接続する第３の工程と、
前記冷却吸気口からの冷却風を、前記ドータボードに沿って通過させ、前記排気口から排出させる第４の工程と
を備えることを特徴とするボード実装方法。
【請求項７】
前記第２及び第３の工程には、
前記ドータボードを、前記マザーボードに対して複数接続する第５の工程と、
前記マザーボードの第２の水平実装タイプコネクタを、前記ドータボードに対応させて設ける第６の工程と
が含まれることを特徴とする請求項６に記載のボード実装方法。
【請求項８】
前記第１、第２及び第６の工程には、
前記第２の水平実装タイプコネクタを、前記マザーボードの後端側に前記ドータボードの実装位置に合わせて装着する第７の工程と、
前記第１の水平実装タイプコネクタを、前記ドータボードの後端下部側に装着する第８の工程と
が含まれることを特徴とする請求７に記載のボード実装方法。
【請求項９】
前記第１、第２及び第６の工程には、
前記第２の水平実装タイプコネクタを、前記マザーボードの中程に前記ドータボードの実装位置に合わせて装着する第９の工程と、
前記第１の水平実装タイプコネクタを、前記ドータボードの中程下部側に装着する第１０の工程と
が含まれることを特徴とする請求項７に記載のボード実装方法。
【請求項１０】
前記第１、第２及び第６の工程には、
前記第２の水平実装タイプコネクタを、前記マザーボードの前端側に前記ドータボードの実装位置に合わせて装着する第１１の工程と、
前記第１の水平実装タイプコネクタを、前記ドータボードの前端下部側に装着する第１２の工程と
が含まれることを特徴とする請求項７に記載のボード実装方法。
【発明の詳細な説明】
【０００１】
【発明の属する技術分野】
本発明は、筐体内のマザーボードに接続されるドータボードの冷却に適したボード実装筐体及びボード実装方法に関する。
【０００２】
【従来の技術】
筐体内に実装した、たとえばボードに対して冷却風を与える場合、筐体の前面より冷却風を取込み、筐体の背面より排出させることが一般的である。
【０００３】
このような筐体の一例として、たとえば図３に示すようものがある。
【０００４】
これは、筐体５の内部にコネクタ８を有するマザーボード３を垂直に実装し、ドータボード４を筐体５の前面より挿入し、マザーボード３のコネクタ８に接続するようにしている。この場合、冷却風は筐体５の冷却吸気口６から取込まれた後、導風ダクト９に沿って導かれ、排気口７から排出される。
【０００５】
また、図４に示すように、筐体５の底部にコネクタ８を有するマザーボード３を水平に実装し、ドータボード４を筐体５の上面より挿入し、マザーボード３のコネクタ８に接続するようにしているものもある。この場合、冷却風は筐体５の冷却吸気口６から取込まれた後、筐体５内部をスルーし、排気口７から排出される。
【０００６】
ところが、図３に示した筐体５では、冷却風をドータボード４に均一に与えるために、ドータボード４の上下に導風ダクト９を取付ける必要がある。このため、筐体５の構造が複雑になるばかりか、筐体５の大型化を招いてしまうという不具合がある。さらには、その構造上、冷却風入口６や排気口７を大きくとれないため、ドータボード４に与える冷却風の風速が低くなり、ドータボード４の冷却効率が悪くなるという不具合もある。
【０００７】
また、図４に示した筐体５では、その構造上、上記の導風ダクト９を用いることなく、冷却風を筐体５の前面から取込み、筐体５の背面から排気することができるものの、ドータボード４を筐体５の上面より挿入する構造であるため、筐体５の上面側にドータボード４を挿抜するための保守エリアを必要とすることから、筐体５を積重ねることができないという不具合がある。
【０００８】
これらの不具合を解消するものとして、たとえば特開平１０−１０７４７０号公報では、ドータボードを筐体の前面に対し挿抜する構造であって、マザーボードに通風口を設けることにより、ドータボードの冷却効率を高めるようにしている。
【０００９】
【発明が解決しようとする課題】
ところが、上述した先行技術では、マザーボードに通風孔を設けることにより、ドータボードの冷却効率を高めることができるものの、マザーボードに通風口を設けることで、マザーボード内の配線収容率が悪くなり、マザーボードの配線層数の増加を招いてしまうことから、マザーボードの価格アップを招いてしまうという不具合がある。
【００１０】
本発明は、このような状況に鑑みてなされたものであり、ドータボードの冷却効率を低下させることなく、マザーボードの価格アップを抑えることができるボード実装筐体及びボード実装方法を提供することができるようにするものである。
【００１１】
【課題を解決するための手段】
請求項１に記載のボード実装筐体は、ドータボードを、前面側に冷却吸気口が設けられ、背面側に排気口が設けられた筐体の前面側から水平に挿入する形態のボード実装筐体であって、前記ドータボードに接合方向が実装面に沿った方向である第１の水平実装タイプコネクタを設け、前記筐体の底部に水平に実装されるマザーボードには接合方向が実装面に沿った方向である第２の水平実装タイプコネクタを設け、前記第１の水平実装タイプコネクタと前記第２の水平実装タイプコネクタは、その接続方向が互いに係合するように前記ドータボードの挿入方向と同じ方向に構成されてなり、前記ドータボードを前記筐体の前面側から水平に挿入すると同時に前記第１の水平実装タイプコネクタが前記第２の水平実装タイプコネクタに嵌め込まれて前記マザーボードに対し前記ドータボードが接続されるとともに、前記冷却吸気口からの冷却風は前記ドータボードに沿って通過し、前記排気口から排出されることを特徴とする。
また、ドータボードは、複数有り、マザーボードの第２の水平実装タイプコネクタは、ドータボードに対応させて設けられているようにすることができる。
また、第２の水平実装タイプコネクタは、マザーボードの後端側にドータボードの実装位置に合わせて装着され、第１の水平実装タイプコネクタは、ドータボードの後端下部側に装着されているようにすることができる。
また、第２の水平実装タイプコネクタは、マザーボードの中程にドータボードの実装位置に合わせて装着され、第１の水平実装タイプコネクタは、ドータボードの中程下部側に装着されているようにすることができる。
また、第２の水平実装タイプコネクタは、マザーボードの前端側にドータボードの実装位置に合わせて装着され、第１の水平実装タイプコネクタは、ドータボードの前端下部側に装着されているようにすることができる。
請求項６に記載のボード実装方法は、前面側に冷却吸気口が設けられ、背面側に排気口が設けられた筐体の前面側からドータボードを水平に挿入するボード実装方法であって、  前記ドータボードに接合方向が実装面に沿った方向である第１の水平実装タイプコネクタを、その接続方向が前記ドータボードの挿入方向と同じ方向に設ける第１の工程と、前記筐体の底部に水平に実装されるマザーボードに、その接続方向が前記第１の水平実装タイプコネクタと係合するように前記ドータボードの挿入方向と同じ方向に接合方向が実装面に沿った方向である第２の水平実装タイプコネクタを設ける第２の工程と、前記ドータボードを前記筐体の前面側から水平に挿入すると同時に前記第１の水平実装タイプコネクタを前記第２の水平実装タイプコネクタに嵌め込まれることで、前記マザーボードに対し前記ドータボードを接続する第３の工程と、前記冷却吸気口からの冷却風を、前記ドータボードに沿って通過させ、前記排気口から排出させる第４の工程とを備えることを特徴とする。
また、第２及び第３の工程には、ドータボードを、マザーボードに対して複数接続する第５の工程と、マザーボードの第２の水平実装タイプコネクタを、ドータボードに対応させて設ける第６の工程とが含まれるようにすることができる。
また、第１、第２及び第６の工程には、第２の水平実装タイプコネクタを、マザーボードの後端側にドータボードの実装位置に合わせて装着する第７の工程と、第１の水平実装タイプコネクタを、ドータボードの後端下部側に装着する第８の工程とが含まれるようにすることができる。
また、第１、第２及び第６の工程には、第２の水平実装タイプコネクタを、マザーボードの中程にドータボードの実装位置に合わせて装着する第９の工程と、第１の水平実装タイプコネクタを、ドータボードの中程下部側に装着する第１０の工程とが含まれるようにすることができる。
また、第１、第２及び第６の工程には、第２の水平実装タイプコネクタを、マザーボードの前端側にドータボードの実装位置に合わせて装着する第１１の工程と、第１の水平実装タイプコネクタを、ドータボードの前端下部側に装着する第１２の工程とが含まれるようにすることができる。
本発明に係るボード実装筐体及びボード実装方法においては、前面側に冷却吸気口が設けられ、背面側に排気口が設けられた筐体の前面側からドータボードを水平に挿入するに際し、ドータボードに設けた接合方向が実装面に沿った方向である第１の水平実装タイプコネクタを、筐体の底部に水平に実装されるマザーボードに設けた接合方向が実装面に沿った方向である第２の水平実装タイプコネクタに嵌め込むことで、マザーボード内の配線収容率の低下を抑えるようにするとともに、冷却吸気口からの冷却風を、ドータボードに沿って通過させ、排気口から排出させることで、ドータボードに冷却風を均一に与えるようにする。
【００１２】
【発明の実施の形態】
以下、本発明の実施の形態について説明する。なお、以下に説明する図において、図３及び図４と共通する部分には同一符号を付すものとする。
【００１３】
図１は、本発明のボード実装筐体の一実施の形態を示す斜視図、図２は、図１の要部を示す斜視図である。
【００１４】
図１に示すボード実装筐体は、筐体５の前面に冷却吸気口６が設けられ、筐体５の背面に排気口７が設けられた形態となっている。筐体５の底部には、マザーボード３が水平に実装されている。複数のドータボード４は、筐体５の前面より水平方向に挿抜されるようになっている。なお、本実施の形態では、ドータボード４を複数としているが、ドータボード４は１枚であってもよい。
【００１５】
各ドータボード４及びマザーボード３には、図２に示すように、第１及び第２の水平実装タイプコネクタとしての水平実装タイプコネクタ１，２が装着されている。水平実装タイプコネクタ２は、マザーボード３の後端側に各ドータボード４の実装位置に合わせ、所定の間隔で装着されている。なお、水平実装タイプコネクタ２の装着位置は、マザーボード３の後端側に限らず、マザーボード３の中程であってもよく、さらにはマザーボード３の前端側であってもよい。
【００１６】
水平実装タイプコネクタ１は、ドータボード４の後端下部側に装着されている。なお、水平実装タイプコネクタ１の装着位置は、ドータボード４の後端下部側に限らず、ドータボード４の中程下部であってもよく、さらにはドータボード４の前端下部側であってもよい。特に、水平実装タイプコネクタ１をドータボード４の前端下部側に設けた場合には、水平実装タイプコネクタ２との挿抜を容易に行うことができる。
【００１７】
次に、このような構成のボード実装筐体の動作について説明する。
【００１８】
まず、各ドータボード４を筐体５内に装着する場合、それぞれのドータボード４を筐体５の前面から挿入する。ドータボード４を筐体５の最奥部まで挿入したとき、水平実装タイプコネクタ１をマザーボード３の水平実装タイプコネクタ２に嵌め込む。以降、順次このようにして残りのドータボード４を筐体５内に装着する。
【００１９】
そして、筐体５の前面の冷却吸気口６から取込まれた冷却風は、各ドータボード４間を通過し、筐体５の背面の排気口７から排出される。このとき、ドータボード４は、各ドータボード４間を通過する冷却風によって均一に冷却される。
【００２０】
このように、本実施の形態では、前面側に冷却吸気口６が設けられ、背面側に排気口７が設けられた筐体５の前面側からドータボード４を水平に挿入するに際し、ドータボード４に設けた水平実装タイプコネクタ１を、筐体５の底部に水平に実装されるマザーボード３の水平実装タイプコネクタ２に嵌め込むことで、マザーボード３内の配線収容率の低下を抑えるようにするとともに、冷却吸気口６からの冷却風を、ドータボード４の沿って通過させ、排気口７から排出させることで、ドータボード４に冷却風を均一に与えるようにしたので、ドータボード４の冷却効率を低下させることなく、マザーボード３の価格アップを抑えることができる。
【００２１】
また、従来のように、筐体５の前面側からドータボード４を水平に挿入する形態にて必要となっていた冷却用導風ダクトを必要としないため、筐体５の小型化も図れる。
【００２２】
さらに、ドータボード４の挿抜方向が筐体５の前面側となるため、筐体５の上面側にドータボード４を挿抜するための保守エリアを必要としないことから、筐体５を複数重ねて実装することもできる。
【００２３】
【発明の効果】
以上の如く本発明に係るボード実装筐体及びボード実装方法によれば、前面側に冷却吸気口が設けられ、背面側に排気口が設けられた筐体の前面側からドータボードを水平に挿入するに際し、ドータボードに設けた第１の水平実装タイプコネクタを、筐体の底部に水平に実装されるマザーボードの第２の水平実装タイプコネクタに嵌め込むことで、マザーボード内の配線収容率の低下を抑えるようにするとともに、冷却吸気口からの冷却風を、ドータボードに沿って通過させ、排気口から排出させることで、ドータボードに冷却風を均一に与えるようにしたので、ドータボードの冷却効率を低下させることなく、マザーボードの価格アップを抑えることができる。
【図面の簡単な説明】
【図１】本発明のボード実装筐体の一実施の形態を示す斜視図である。
【図２】図１の要部を示す斜視図である。
【図３】従来のボードを実装する筐体の一例を示す斜視図である。
【図４】従来のボードを実装する筐体の他の例を示す斜視図である。
【符号の説明】
１，２  水平実装タイプコネクタ
３  マザーボード
４  ドータボード
５  筐体
６  冷却吸気口
７  排気口
【図１】
0003866464.tif 000002
【図２】
0003866464.tif 000003
【図３】
0003866464.tif 000004
【図４】
0003866464.tif 000005